(57)【特許請求の範囲】
【請求項１】
検体分析装置へ所定の容器内に収容された液体を送液するチューブに連結可能な本体部と、
前記本体部に保持され、前記液体中に含まれる異物を捕捉するフィルタと、を有し、
前記本体部の一端側には、前記液体を流入させる開口部と、
前記本体部の他端側には、前記チューブに連結されるチューブ連結部と、
前記本体部の内部には、前記一端側と前記他端側とに連通し、前記液体が流通可能な流路と、が形成されており、
前記フィルタが固定されたフィルタ支持部材をさらに有し、
前記本体部は、相互に連結分離可能に構成された第１保持部材および第２保持部材を有し、
前記フィルタ支持部材は、前記フィルタが固定された先端部と、前記先端部よりも基端側に位置し、かつ、前記先端部よりも小径に形成された基端部と、を有し、
前記第２保持部材は、前記フィルタ支持部材の前記基端部を収容可能な空間部を有し、
前記第２保持部材の前記空間部に前記フィルタ支持部材の前記基端部を収容し、かつ、前記第１保持部材と前記第２保持部材とにより前記フィルタ支持部材を挟み込んだ状態で前記第１保持部材と前記第２保持部材とを連結することにより、前記フィルタが前記本体部に対して保持される、フィルタ組立体。
【請求項２】
前記第１保持部材および前記第２保持部材は、前記フィルタ支持部材を挟み込んだ際に前記フィルタ支持部材に圧接して前記フィルタの周囲にシール部を形成するシール形成部を有する、請求項１に記載のフィルタ組立体。
【請求項３】
前記本体部の一端側の端面には、前記開口部よりも一端側へ向けて突出した突出部が形成されている、請求項１または請求項２に記載のフィルタ組立体。
【請求項４】
前記本体部において前記フィルタが配置された部分の周辺部分は、当該本体部の内部が外部から視認可能となるように透明または半透明に形成されている、請求項１〜３のいずれか１項に記載のフィルタ組立体。
【請求項５】
請求項１〜４のいずれか１項に記載のフィルタ組立体と、
前記チューブと、
前記チューブにおいて前記本体部に連結される一端側と反対側に位置する他端側に連結されており、前記容器に取り付けられた蓋部に係止可能な係止部材と、を有するチューブ組立体。
【発明の詳細な説明】
【技術分野】
【０００１】
本発明は、被験動物から採取した検体の分析に用いられる検体分析装置へ希釈液等の液体を送液する際に、検体分析装置へ異物が送り込まれるのを防止するフィルタ組立体、および当該フィルタ組立体を備えるチューブ組立体に関する。
【背景技術】
【０００２】
従来から人や各種の動物を含む被験動物から採取した血液等の検体の成分を分析するために、検体を希釈化して分析を行う検体分析装置が使用されている（下記特許文献１、特許文献２を参照）。
【０００３】
この種の検体分析装置を使用する場合、検体を希釈するための希釈液は、所定の容器に予め収容された状態で準備される。そして、検体分析装置に設けられた所定のポート（コネクタ部分）と、容器とを、液体が流通可能なチューブで繋いで、検体分析装置に備えられたポンプ等の吸引機構を作動させることにより、容器から検体分析装置へ希釈液を送液している。
【０００４】
検体分析装置と容器とをチューブで接続する作業は、使用者等の手作業により行われるが、接続作業を行う際、チューブは周囲の環境に露出した状態で取り扱われることが多い。このため、チューブには、被験動物の毛、塵や埃等の異物が付着してしまうことがある。また、希釈液を収容した容器は、容器内の希釈液が空になると、容器ごと交換するため、希釈液を充填した別の容器の使用を開始する際には、その都度、容器に対してチューブを接続する作業（容器内へチューブを挿入する作業）を行う必要がある。このため、チューブにおいて容器内に挿入および容器外へ取り出される端部側は、異物が付着し易い環境に晒される頻度が他の部位よりも高くなっている。
【０００５】
異物が付着した状態のチューブを容器内に挿入すると、容器内に収容した希釈液中に異物が混入してしまう。さらに、異物が混入した希釈液を検体分析装置へ送液してしまうと、検体分析装置内に異物が滞留して、異物の詰まりが生じる。その結果、正常な計測がなされないといった問題や、検体分析装置の故障を招くといった問題が発生してしまう。
【先行技術文献】
【特許文献】
【０００６】
【特許文献１】特開２０１０−２２３８３３号公報
【特許文献２】特開２０１１−９５２７４号公報
【発明の概要】
【発明が解決しようとする課題】
【０００７】
しかしながら、これまでは、容器内に収容した希釈液等の液体中に混入した異物が検体分析装置へ送り込まれることに起因する上記のような問題については使用者の注意に依存していた。
【０００８】
そこで、本発明は、上記課題を解決するためになされたものであり、検体分析装置へ送液する各種の液体中に異物が混入した場合においても、異物が検体分析装置へ送り込まれることを防止し得るフィルタ組立体、および当該フィルタ組立体を備えるチューブ組立体を提供することを目的とする。
【課題を解決するための手段】
【０００９】
上記目的を達成する本発明に係るフィルタ組立体は、検体分析装置へ所定の容器内に収容された液体を送液するチューブに連結可能な本体部と、本体部に保持され、液体中に含まれる異物を捕捉するフィルタと、を有している。そして、本体部の一端側には、液体を流入させる開口部と、本体部の他端側には、チューブに連結されるチューブ連結部と、本体部の内部には、一端側と他端側とに連通し、液体が流通可能な流路と、が形成されており、前記フィルタが固定されたフィルタ支持部材をさらに有し、前記本体部は、相互に連結分離可能に構成された第１保持部材および第２保持部材を有し、前記フィルタ支持部材は、前記フィルタが固定された先端部と、前記先端部よりも基端側に位置し、かつ、前記先端部よりも小径に形成された基端部と、を有し、前記第２保持部材は、前記フィルタ支持部材の前記基端部を収容可能な空間部を有し、前記第２保持部材の前記空間部に前記フィルタ支持部材の前記基端部を収容し、かつ、前記第１保持部材と前記第２保持部材とにより前記フィルタ支持部材を挟み込んだ状態で前記第１保持部材と前記第２保持部材とを連結することにより、前記フィルタが前記本体部に対して保持される。
【発明の効果】
【００１０】
本発明のフィルタ組立体およびチューブ組立体によれば、容器内に収容された液体中に異物が混入している場合においても、本体部に保持されたフィルタにより異物を捕捉することができるため、異物がチューブを介して検体分析装置へ送り込まれるのを好適に防止することができる。したがって、検体分析装置内に異物が滞留して異物の詰まりが生じるのを防止でき、異物の詰まりに起因する誤計測や検体分析装置の故障といった問題が発生するのを未然に防止することができる。
【図面の簡単な説明】
【００１１】
【図１】図１は、本発明の第１実施形態に係るフィルタ組立体およびチューブ組立体を示す図であり、（Ａ）は、フィルタ組立体の分解斜視図、（Ｂ）は、チューブ組立体を示す概観斜視図である。
【図２】図２は、第１実施形態に係るフィルタ組立体が備えるフィルタホルダ（第１保持部材）を示す図であり、（Ａ）は、フィルタホルダの概観斜視図、（Ｂ）は、フィルタホルダの正面図、（Ｃ）は、フィルタホルダの背面図である。
【図３】図３は、第１実施形態に係るフィルタ組立体が備えるフィルタホルダ（第１保持部材）を示す図であり、（Ａ）は、図２（Ａ）に示す矢印３Ａ方向から見たフィルタホルダの側面図、（Ｂ）は、図２（Ａ）に示す矢印３Ｂ−３Ｂに沿うフィルタホルダの長手方向断面図である。
【図４】図４は、第１実施形態に係るフィルタ組立体が備えるフィルタジョイント（第２保持部材）を示す図であり、（Ａ）は、フィルタジョイントの概観斜視図、（Ｂ）は、フィルタジョイントの正面図、（Ｃ）は、フィルタジョイントの背面図である。
【図５】図５は、第１実施形態に係るフィルタ組立体が備えるフィルタジョイント（第２保持部材）を示す図であり、（Ａ）は、図４（Ａ）に示す矢印５Ａ方向から見たフィルタジョイントの側面図、（Ｂ）は、図５（Ａ）に示す矢印５Ｂ−５Ｂに沿うフィルタジョイントの長手方向断面図である。
【図６】図６は、第１実施形態に係るフィルタ組立体が備えるフィルタ支持部材を示す図であり、（Ａ）は、フィルタ支持部材の概観斜視図、（Ｂ）は、フィルタ支持部材の正面図、（Ｃ）は、フィルタ支持部材の背面図である。
【図７】図７は、第１実施形態に係るフィルタ組立体が備えるフィルタ支持部材を示す図であり、（Ａ）は、図６（Ａ）に示す矢印７Ａ方向から見たフィルタ支持部材の側面図、（Ｂ）は、図６（Ａ）に示す矢印７Ｂ−７Ｂに沿うフィルタ支持部材の長手方向断面図である。
【図８】図８は、第１実施形態に係るフィルタ組立体の組み付け前後の様子を示す図であり、（Ａ）は、各部材を組み付ける前のフィルタ組立体を示す断面図、（Ｂ）は、各部材を組み付けた後のフィルタ組立体を示す断面図である。
【図９】第１実施形態に係るフィルタ組立体およびチューブ組立体の使用時の様子を示す概観斜視図である。
【図１０】第１実施形態に係るフィルタ組立体およびチューブ組立体の使用例および作用を説明するための図であり、（Ａ）は、チューブ組立体が備える係止部材を容器に設けられた蓋部に係止させた際の様子を示す拡大断面図、（Ｂ）は、容器内に配置した際のフィルタ組立体を示す拡大断面図、（Ｃ）は、フィルタ組立体が備える突出部の作用を模式的に説明するための斜視図である。
【図１１】本発明の第２実施形態に係るフィルタ組立体およびチューブ組立体を示す概観斜視図である。
【図１２】図１２は、第２実施形態に係るフィルタ組立体を示す図であり、（Ａ）は、フィルタ組立体の概観斜視図、（Ｂ）は、フィルタ組立体の正面図、（Ｃ）は、フィルタ組立体の背面図である。
【図１３】図１３は、第２実施形態に係るフィルタ組立体を示す図であり、（Ａ）は、図１２（Ａ）に示す矢印１３Ａ方向から見たフィルタ組立体の側面図、（Ｂ）は、図１２（Ａ）に示す矢印１３Ｂ−１３Ｂに沿うフィルタ組立体の長手方向断面図である。
【発明を実施するための形態】
【００１２】
以下、添付した図面を参照しながら、本発明の各実施形態を説明する。なお、以下の説明は特許請求の範囲に記載される技術的範囲や用語の意義を限定するものではない。また、図面の寸法比率は説明の都合上誇張されており、実際の比率とは異なる場合がある。
【００１３】
（第１実施形態）
図１〜図８は、第１実施形態に係るフィルタ組立体１００およびチューブ組立体２００の各部の構成の説明に供する図であり、図９および図１０は、フィルタ組立体１００およびチューブ組立体２００の使用例および作用の説明に供する図である。各図中に付したＸ軸は、フィルタ組立体１００の長手方向を示し、Ｙ軸は、奥行き方向（幅方向）を示し、Ｚ軸は高さ方向を示している。また、明細書の説明においては、フィルタ組立体１００の長手方向の一端側（図８における左側）を先端側と称し、他端側（図８における右側）を基端側と称する。
【００１４】
第１実施形態に係るフィルタ組立体１００、およびチューブ組立体２００を説明する。
【００１５】
本実施形態の説明においては、図１（Ａ）に示すフィルタ組立体１００およびチューブ組立体２００を、図９に示す検体分析装置３１０に適用した例を示す。検体分析装置３１０は、人や動物（例えば、犬、猫、牛、馬、ラット、豚等）等の被験動物から採取した血液の分析を行う装置であり、血液を所定の希釈液で希釈した試料サンプルに基づいて多項目の分析結果を表示および出力することができるように構成されている。
【００１６】
希釈液は、図９に示す所定の容器３２０内に予め充填された状態で準備される。検体分析装置３１０への希釈液の送液は、所定のチューブを介して行われるが、このチューブに異物等が付着していると、希釈液中に異物が混入してしまうことがある。異物が希釈液とともに検体分析装置３１０へ送り込まれると、検体分析装置３１０内に異物が滞留して、異物の詰まりが生じてしまう。本実施形態に係るフィルタ組立体１００およびチューブ組立体２００は、チューブを介して異物が検体分析装置３１０へ送り込まれるのを防止し、検体分析装置３１０内で異物の詰まりが発生するのを未然に防止することを可能にする。
【００１７】
図１を参照して、概説すると、フィルタ組立体１００は、容器３２０内に収容された希釈液を送液するチューブ８０に連結可能な本体部１０と、本体部に保持され、希釈液中に含まれる異物を捕捉するフィルタ６２と、を有している。
【００１８】
図１（Ａ）に示すように、フィルタ組立体１００の本体部１０は、相互に連結分離可能に構成されたフィルタホルダ（「第１保持部材」に相当する）２０およびフィルタジョイント（「第２保持部材」に相当する）４０を有している。フィルタ６２は、本体部１０とは別部材で構成されたフィルタ支持部材６０に固定している。フィルタホルダ２０、フィルタジョイント４０、フィルタ支持部材６０は、組み付け（組立て）および分解を自由に行うことができる。フィルタ組立体１００を使用する際は、フィルタホルダ２０、フィルタジョイント４０、フィルタ支持部材６０が組み付けられた状態で準備される。
【００１９】
図１０（Ｂ）に示すように、フィルタ組立体１００の使用時は、フィルタ組立体１００を容器３２０内に挿入する。そして、フィルタ組立体１００の先端側に配置されるフィルタホルダ２０の先端開口部２１ａを介してフィルタ組立体１００の内部へ希釈液を流入させる（図１０（Ｂ）中において符号ｄで希釈液を示し、矢印ｆで希釈液の流入を示す）。希釈液は、フィルタ組立体１００に連結されるチューブ８０、１３０を通じて検体分析装置３１０へ送液される。
【００２０】
図１（Ｂ）に示すように、チューブ組立体２００は、フィルタ組立体１００と、チューブ８０と、所定の係止部材９０とにより構成される。この係止部材９０は、フィルタ組立体１００およびチューブ８０を使用する際に、容器３２０に対してフィルタ組立体１００およびチューブ８０を接続するために使用されるものである。係止部材９０の詳細については後述する。
【００２１】
図２、図３を参照して、フィルタホルダ２０について説明する。
【００２２】
図２（Ａ）、図３（Ｂ）に示すように、フィルタホルダ２０は、略円筒形の外形形状を有し、かつ、内部に空間部２７が形成された中空状の部材により構成している。フィルタホルダ２０の先端面２１には、空間部２７に連通する先端開口部２１ａを形成している。
【００２３】
フィルタホルダ２０の先端面２１には、先端開口部２１ａよりも先端側に突出した一対の突出部２５ａ、２５ｂを形成している。各突出部２５ａ、２５ｂの端面は、平坦状に形成している。各突出部２５ａ、２５ｂは、先端開口部２１ａの開口面積を狭めることがないように互いに所定の距離だけ離間させて、先端面２１の幅方向（Ｙ軸方向）の両端側に配置している。
【００２４】
各突出部２５ａ、２５ｂは、フィルタホルダ２０の先端面２１の一部を突出させることでフィルタホルダ２０に一体的に形成しているが、例えば、フィルタホルダ２０と別部材で構成されたものをフィルタホルダ２０に後付けして各突出部２５ａ、２５ｂを形成することも可能である。また、フィルタホルダ２０に形成する突出部の形状、大きさ、個数等は、後述するようにフィルタホルダ２０の先端開口部２１ａを介した希釈液の流入性を向上し得る限りにおいて特に限定されず、適宜変更することが可能である。ただし、各突出部２５ａ、２５ｂは、先端面２１の先端開口部２１ａからの希釈液の流入量を減少させることがないように、先端開口部２１ａの開口面積を狭めることがない大きさ（面積）で先端面２１に形成することが好ましい。
【００２５】
図２（Ａ）に示すように、フィルタホルダ２０の先端面２１には、先端側へ向けて開口面積を広げるように延びるテーパー部２３を形成している。このテーパー部２３は、先端開口部２１ａを介した希釈液の流入性を向上させる機能を有している。
【００２６】
図２（Ｃ）、図３（Ｂ）に示すように、フィルタホルダ２０の基端面２２には、空間部２７に連通する基端開口部２２ｂを形成している。
【００２７】
フィルタホルダ２０において空間部２７を区画する内壁部分には、フィルタジョイント４０に形成した雄ネジ部４６（図５（Ａ）を参照）と噛み合い自在な雌ネジ部２６を形成している。雌ネジ部２６のピッチや長さ等については、当該雌ネジ部２６およびフィルタジョイント４０に形成した雄ネジ部４６により、フィルタホルダ２０およびフィルタジョイント４０を連結することが可能な限りにおいて特に制限はない。
【００２８】
図３（Ｂ）に示すように、フィルタホルダ２０の先端面２１の裏側に位置する内壁部分２８は、内壁の周方向に沿って額縁状に突出した形状に形成している。この内壁部分２８は、フィルタホルダ２０、フィルタジョイント４０、フィルタ支持部材６０を組み付けた際に、フィルタ６２の周囲にシール部１１５を形成するシール形成部１１３としての機能を有する（図８（Ｂ）を参照）。
【００２９】
次に、図４、図５を参照して、フィルタジョイント４０について説明する。
【００３０】
図４（Ａ）、図５（Ｂ）に示すように、フィルタジョイント４０は、先端側の外周面に形成された雄ネジ部４６と、基端部４３の基端面４２から基端側へ突出したチューブ連結部４７とを有する中空状の部材により構成している。
【００３１】
フィルタジョイント４０の先端面４１には、先端開口部４１ａを形成している。また、フィルタジョイント４０の内部には、先端開口部４１ａに連通する所定の容積の空間部４４を形成している。この空間部４４は、フィルタホルダ２０、フィルタジョイント４０、フィルタ支持部材６０を組み付けた際に、フィルタ支持部材６０が収容される部分である（図８（Ｂ）を参照）。また、空間部４４の基端側に位置する内壁の底部４４ａは、フィルタホルダ２０、フィルタジョイント４０、フィルタ支持部材６０を組み付けた際に、フィルタ６２の周囲にシール部１１５を形成するシール形成部１１３としての機能を有する（図８（Ｂ）を参照）。
【００３２】
図４（Ｂ）、図４（Ｃ）に示すように、フィルタジョイント４０の基端部４３は、雄ネジ部４６が形成された先端部よりも大径に形成されている。また、フィルタジョイント４０の基端部４３には、外周部分の一部を面取りして形成した一対の平坦部４８ａ、４８ｂを形成している。各平坦部４８ａ、４８ｂは、フィルタジョイント４０を取り扱う際に、手指等による把持を容易に行うための指掛け部としての機能を有している。
【００３３】
図５（Ａ）、図５（Ｂ）に示すように、フィルタジョイント４０には、当該フィルタジョイント４０内を長手方向（Ｘ方向）に沿って貫通する空間部４４、第１流路形成部４５ａ、第２流路形成部４５ｂが形成されている。各流路形成部４５ａ、４５ｂは、フィルタホルダ２０、フィルタジョイント４０、フィルタ支持部材６０を組み付けた際に、フィルタ組立体１００の内部に希釈液を流通させるための流路１１０の一部を構成する部分である（図８（Ｂ）を参照）。
【００３４】
フィルタジョイント４０の基端部４３の基端面４２に突設されたチューブ連結部４７には、基端開口部４７ａを形成している。基端開口部４７ａは、第２流路形成部４５ｂに連通している。チューブ連結部４７は、フィルタ組立体１００とともに使用されるチューブ８０が連結される部分である。図８（Ｂ）に示すように、チューブ８０内にフィルタジョイント４０のチューブ連結部４７を挿入して嵌め込むことにより、フィルタジョイント４０とチューブ連結部４７とを連結することが可能になっている。
【００３５】
図５（Ａ）、図５（Ｂ）に示すように、チューブ連結部４７の端部には、チューブ８０内の挿入性を向上させるためのテーパー部４８を形成している。
【００３６】
フィルタジョイント４０のチューブ連結部４７の外径や長さ等は、チューブ連結部４７をチューブ８０内に挿入することにより、フィルタジョイント４０とチューブ８０とを連結し、さらに連結状態を維持することが可能であれば特に限定されることはなく、例えば、使用されるチューブ８０の製品仕様等に応じて適宜変更することが可能である。
【００３７】
次に、図６、図７を参照して、フィルタ支持部材６０について説明する。
【００３８】
図６（Ａ）、図７（Ｂ）に示すように、フィルタ支持部材６０は、フィルタ６２が固定された先端部６５と、先端部６５よりも基端側に位置し、かつ、先端部６５よりも小径に形成された基端部７５とを有する中空状の部材により構成している。
【００３９】
フィルタ支持部材６０の先端面６１には、フィルタ支持部材６０の内外を連通する先端開口部６１ａを形成している。図７（Ａ）、（Ｂ）に示すように、フィルタ６２は、先端面６１から基端側に窪んで形成された額縁状のフィルタ固定部６３に固定している。フィルタ６２は、先端開口部６１ａを覆うように、かつ、先端面６１と同一の平面上（Ｘ−Ｚ平面上）に位置するように配置している。
【００４０】
フィルタ６２は、略円形の外形形状を有している。また、フィルタ６２には、希釈液の流通を阻害することなく、かつ、異物の捕捉を可能にする格子状の網目を形成している。
【００４１】
フィルタ６２は、前述した容器３２０内に混入した異物を捕捉するための機能を有している。フィルタ６２の捕捉対象となる異物としては、特に限定されないが、例えば、被験動物の毛（人毛や動物毛）が挙げられる。被験動物の毛は、比較的細径であるため、チューブ等を介して容易に検体分析装置３１０へ送り込まれる虞があり、また人為的に取り除かれない限り自然に消滅しないため、装置内部に蓄積されて詰まり等を引き起こす原因になる。このような観点より、本実施形態において使用されるフィルタ６２としては、少なくとも被験動物の毛を捕捉し得るようにフィルタ６２の目の粗さや目の形状等が構成されたものであることが好ましい。
【００４２】
なお、フィルタ６２の構成は、捕捉対象となる異物の種類に応じて適宜に変更することが可能であり、外形形状や寸法、目の構造（例えば、格子状、孔状等）、目の粗さ等は特に限定されることはない。
【００４３】
フィルタ６２は、ポリプロピレンにより構成されている。ただし、フィルタ６２を構成する材料としては、送液対象である希釈液の成分を変質させることが無いものであれば特に制限はなく、例えば、多孔質体、不織布、フェルト、織物、編物、紙で構成されたものを使用することも可能である。
【００４４】
フィルタ６２は、例えば、当該フィルタ６２の外周縁部の数か所を熱溶着等の公知の方法によりフィルタ支持部材６０のフィルタ固定部６３に対して固定することができる。図示省略するが、フィルタ６２は、周方向の６箇所に、互いに均等な間隔（周方向に６０°の間隔）を空けた位置で固定している。周方向に均等な間隔を空けて複数箇所で固定を行うことにより、フィルタ６２に位置ずれ等が生じることのないようにしっかりと固定することができる。なお、フィルタ６２の固定方法としては、フィルタ６２の材質に応じて適宜選択することができ、接着等の方法を採用することも可能である。
【００４５】
図７（Ａ）、図７（Ｂ）に示すように、フィルタ支持部材６０には、当該フィルタ支持部材６０内を長手方向（Ｘ方向）に沿って貫通する第１流路形成部６６ａ、第２流路形成部６６ｂ、第３流路形成部６６ｃが形成されている。各流路形成部６６ａ、６６ｂ、６６ｃは、フィルタホルダ２０、フィルタジョイント４０、フィルタ支持部材６０を組み付けた際に、フィルタ組立体１００の内部に希釈液を流通させるための流路１１０の一部を構成する部分である（図８（Ｂ）を参照）。
【００４６】
第１流路形成部６６ａは、基端側に向けて流路断面積が緩やかに減少するように、基端側に向けて縮径する断面形状に形成している。第１流路形成部６６ａをこのような断面形状に形成することにより、フィルタ６２側から流入した希釈液が第２流路形成部６６ｂへ向かう際に流路断面積が急激に狭められて希釈液の円滑な流れが阻害されるのを防止することができる。
【００４７】
フィルタ支持部材６０の基端部７５の基端面７１には、第３流路形成部６６ｃに連通する基端開口部７１ａを形成している。基端面７１にはテーパー部７３を形成している。テーパー部７３は、フィルタ支持部材６０の基端部７５をフィルタジョイント４０の空間部４４内に挿入する際に、挿入を補助するガイドとしての機能を有している（図８（Ｂ）を参照）。
【００４８】
フィルタホルダ２０、フィルタジョイント４０、フィルタ支持部材６０のそれぞれは、ポリプロピレンにより構成している。これらの各部材を構成する材料は、送液対象である希釈液の成分を変質させることが無いものであれば特に制限はなく、例えば、ポリエチレンテレフタレート、ポリメチルメタクリレート、ポリカーボネートや紫外線硬化樹脂等の樹脂材料、ガラス、セラミックスなどを使用することもできる。また、フィルタホルダ２０、フィルタジョイント４０、フィルタ支持部材６０が樹脂材料を使用して構成される場合、射出成形等の公知の方法によりこれらの部材を製作することができる。
【００４９】
フィルタホルダ２０、フィルタジョイント４０、フィルタ支持部材６０のそれぞれは、フィルタ組立体１００を構成した際に、本体部１０の内部が外部から目視により視認可能となるように、透明に形成している。このように透明に形成することにより、フィルタ６２に異物が捕捉されているか否かを目視により簡単に確認することができるため、フィルタ６２のメンテナンス等を行い易くなる。なお、透明に形成する場合、無色透明であることが好ましいが、外部から内部を視認可能であれば特に限定されず、例えば、有色透明または半透明で構成することも可能である。また、外部から視認可能にする部分は、少なくともフィルタ６２が配置された部分の周辺部分であればよく、フィルタホルダ２０、フィルタジョイント４０、フィルタ支持部材６０の各部材の全体を透明に構成しなくてもよい。例えば、本実施形態に示すフィルタ組立体１００であれば、フィルタ６２を外部から覆う部分であるフィルタホルダ２０およびフィルタ支持部材６０の一部（図１（Ａ）、図８（Ｂ）を参照）を透明に構成するようにすることにより、外部からフィルタ６２を視認することが可能となる。
【００５０】
次に、図８を参照して、フィルタホルダ２０、フィルタジョイント４０、およびフィルタ支持部材６０を組み付ける手順、および、チューブ組立体２００について説明する。
【００５１】
図８（Ａ）に示すように、フィルタ組立体１００の組み付けに際して、フィルタホルダ２０とフィルタジョイント４０との間にフィルタ支持部材６０を配置する。この際、フィルタ支持部材６０の基端部７５をフィルタジョイント４０の空間部４４内に挿入することにより、フィルタジョイント４０にフィルタ支持部材６０を仮配置した状態で組み付け作業を行うことができるため、作業をより一層簡単に行うことが可能になる。また、フィルタジョイント４０にフィルタ支持部材６０を仮配置した状態で、手指等によりフィルタジョイント４０の先端を上方に向けることでフィルタ支持部材６０が脱落するのをより確実に防止することができるため、作業性をより一層向上させることができる。
【００５２】
次に、フィルタホルダ２０とフィルタジョイント４０との間でフィルタ支持部材６０を挟み込んだ状態で、フィルタホルダ２０に形成した雌ネジ部２６とフィルタジョイント４０に形成した雄ネジ部４６とにより、フィルタホルダ２０とフィルタジョイント４０と連結する。この連結により、図８（Ｂ）に示すように、フィルタホルダ２０とフィルタジョイント４０とにより挟み込まれたフィルタ支持部材６０の位置が固定される。その結果、フィルタ支持部材６０に固定されたフィルタ６２は、フィルタ組立体１００の内部に位置固定的に保持される。
【００５３】
フィルタホルダ２０、フィルタジョイント４０、およびフィルタ支持部材６０を連結すると、フィルタ支持部材６０の各流路形成部６６ａ、６６ｂ、６６ｂおよびフィルタジョイント４０の各流路形成部４５ａ、４５ｂが中心軸上に略直線状に並んで配置される。これらの各流路形成部４５ａ、４５ｂ、６６ａ、６６ｂ、６６ｂにより、フィルタホルダ２０の先端開口部２１ａとフィルタジョイント４０の基端開口部４７ａとに連通する流路１１０がフィルタ組立体１００内部に形成される。
【００５４】
フィルタホルダ２０とフィルタジョイント４０を連結すると、図８（Ｂ）に示すように、フィルタ支持部材６０の基端部７５がフィルタジョイント４０の内壁の底部４４ａによって先端側へ押し込まれる。そして、フィルタ支持部材６０の先端面６１がフィルタホルダ２０の内壁部分２８に対して圧接される。この圧接に伴い、フィルタホルダ２０とフィルタ支持部材６０との間に機械的なシール部１１５が形成される。
【００５５】
シール部１１５を形成することにより、フィルタホルダ２０の先端開口部２１ａからフィルタ組立体１００の内部に流入した希釈液がフィルタホルダ２０とフィルタ支持部材６０との間を通過してフィルタ組立体１００の外部へ漏洩するのを防止することが可能になる。特に、本実施形態に係るフィルタ組立体１００においては、フィルタホルダ２０とフィルタジョイント４０の連結が雌ネジ部２６および雄ネジ部４６によるネジ込みにより行われるため、ネジ込みに伴うフィルタホルダ２０とフィルタジョイント４０の相対的な接近移動を利用してフィルタ支持部材６０をしっかりと挟み込んで圧接させることができるため、漏洩を防止するのに十分なシール性を確保することができる。なお、シール性をより一層向上させるためにＯリング等のシール材をシール部１１５に配置することも可能である。
【００５６】
組み付けたフィルタ組立体１００の分解は、フィルタホルダ２０に形成した雌ネジ部２６とフィルタジョイント４０に形成した雄ネジ部４６とによる連結を解除することで行うことができる。例えば、フィルタ６２に破損等が生じた場合にフィルタ６２を交換する際は、フィルタ支持部材６０のみを交換するだけでよく、フィルタホルダ２０およびフィルタジョイント４０を使い回すことができるため、メンテナンスに要するコストの削減を図ることができる。同様に、フィルタホルダ２０やフィルタジョイント４０に破損が生じた場合にも、破損が生じた部材を交換するだけで再度使用することができる。また、異なる種類のフィルタ６２が固定された複数のフィルタ支持部材６０を予め準備しておき、用途に応じてフィルタ支持部材６０を付け替えることで、種々の用途に適応可能なフィルタ組立体１００を提供することができる。
【００５７】
フィルタホルダ２０、フィルタジョイント４０、およびフィルタ支持部材６０を組み付けてフィルタ組立体１００を構成した後、図８（Ｂ）に示すように、フィルタ組立体１００にチューブ８０および係止部材９０を取り付けてチューブ組立体２００を構成させる。
【００５８】
チューブ８０は、液体を流通することが可能な樹脂製の公知のチューブにより構成している。チューブ８０の構成材料としては、例えば、塩化ビニール、ポリウレタンエラストマー、ポリスチレンエラストマーなどが挙げられる。
【００５９】
係止部材９０は、チューブ８０においてフィルタジョイント４０のチューブ連結部４７に連結される一端側８１と反対側に位置する他端側８２に連結される。また、係止部材９０は、図１０（Ａ）に示すように容器３２０に取り付けられた蓋部３２３に係止可能に構成している。
【００６０】
図８（Ｂ）に示すように、係止部材９０は、チューブ８０内に挿入されることによりチューブ８０に対して機械的に連結される第１連結部９２と、チューブ８０とは異なる他のチューブ１３０内に挿入されることによりチューブ１３０に対して機械的に連結される第２連結部９３と、各連結部９２、９３の延在方向と交差する方向に延びるフランジ部９１と、を有している。
【００６１】
係止部材９０の第１連結部９２の先端部には開口部９２ａが形成されており、同様に、係止部材９０の第２連結部９３の基端部には開口部９３ａが形成されている。また、係止部材９０の内部には、第１連結部９２の開口部９２ａと第２連結部９３の開口部９３ａとに連通する流路９４が形成されている。
【００６２】
チューブ１３０は、係止部材９０と検体分析装置３１０との間に配設される。チューブ１３０は、チューブ８０を延伸することにより、容器３２０内と検体分析装置３１０とを連通させるために使用される補助的なチューブである。フィルタ組立体１００、チューブ８０、係止部材９０、チューブ１３０を連結した状態でフィルタ組立体１００内に希釈液を流入させると、希釈液がフィルタ組立体１００の流路１１０、チューブ８０の内部、係止部材９０の流路９４、チューブ１３０の内部を通って検体分析装置３１０へ送液される。なお、チューブ１３０としては、チューブ８０と異質若しくは同様の材質および構造のものを使用することができる。
【００６３】
チューブ組立体２００の構成部材であるフィルタホルダ２０、フィルタジョイント４０、フィルタ支持部材６０、チューブ８０、および係止部材９０のそれぞれは、使用に際してそれぞれ分離（分解）した状態で準備してもよいし、これらの部材のうちの任意の部材を予め組み付けた状態（連結した状態）で準備してもよい。例えば、フィルタホルダ２０、フィルタジョイント４０、フィルタ支持部材６０を組み付けてフィルタ組立体１００として準備し、チューブ８０および係止部材９０を連結した状態で準備し、使用現場においてこれらの部材を連結してチューブ組立体２００として提供するようにしてもよい。
【００６４】
次に、図９および図１０を参照して、フィルタ組立体１００の使用例および作用を説明する。
【００６５】
図９には、検体分析装置３１０の使用時の様子が示される。
【００６６】
検体分析装置３１０は、複数のスイッチ３１１と、分析結果等を表示するディスプレイ部３１２と、検体を吸引して装置内へ取り込む吸引管３１３と、各種のチューブが連結されるポート３１４と、を有している。検体分析装置３１０を使用する際は、希釈液が収容された容器３２０と、洗浄液が収容された容器３３０、３４０と、排液用の容器３５０と、溶血剤が収容された容器３６０が準備される。これらの各容器３２０、３３０、３４０、３５０は、所定のチューブにより検体分析装置３１０のポート３１４と繋がれる。
【００６７】
希釈液が収容された容器３２０は、前述したチューブ８０およびチューブ１３０を介して、検体分析装置３１０に繋がれる。検体分析装置３１０は、使用者等により分析を開始する旨の操作がなされると、分析に先立ち、所定量の希釈液を吸引して装置内部に保持する。血液等の検体は、図示省略する容器内に収容された状態で準備され、吸引管３１３を介して装置内部に吸引される。検体分析装置３１０は、検体と希釈液を装置内部で混合撹拌して、分析を実施する。分析結果は、ディスプレイに表示される。
【００６８】
図１０（Ａ）、図１０（Ｂ）に示すように、フィルタ組立体１００は、希釈液ｄが収容された容器３２０内に配置される。容器３２０には、上面側に開口部３２１が形成されており、フィルタ組立体１００およびチューブ８０は、この開口部３２１を介して容器３２０内に挿入することができる。また、容器３２０には、開口部３２１を覆う蓋部３２３が備えられている。この蓋部３２３には、所定のキャップ３７０がネジ留め可能なネジ部が形成されている。
【００６９】
図１０（Ａ）に示すように、チューブ８０に連結された係止部材９０は、容器３２０の蓋部３２３の上面に引っ掛けて配置することができる。係止部材９０を蓋部３２３に引っ掛けることにより、フィルタ組立体１００を吊り下げた状態で容器３２０に保持させることができるため、容器３２０内におけるフィルタ組立体１００の高さ方向の位置を調整することができる。係止部材９０が不用意に移動して位置ずれ等しないようにするために、係止部材９０の上面側からキャップ３７０を被せて、キャップ３７０と蓋部３２３との間で係止部材９０を挟み込んで固定を行う。
【００７０】
フィルタ組立体１００が容器３２０内に収容された状態で検体分析装置３１０が吸引を開始すると、図１０（Ｂ）の矢印ｆで示すように、フィルタ組立体１００（フィルタホルダ２０）の先端開口部２１ａを介してフィルタ組立体１００の内部へ希釈液ｄが吸い込まれる。希釈液ｄは、フィルタ組立体１００の流路１１０、チューブ８０、チューブ１３０を通過して検体分析装置３１０へ送液される。
【００７１】
図１０（Ｃ）に示すように、容器３２０内に収容した希釈液ｄに人毛や動物毛等の異物ｍが混入している場合、異物ｍはフィルタ組立体１００が備えるフィルタ６２により捕捉される。このため、チューブ８０を介して検体分析装置３１０へ異物ｍが送り込まれるのを好適に防止することができる。
【００７２】
チューブ８０は、複数種類の異なるサイズの容器３２０に対して使い回されることがある。このため、容器３２０のサイズによっては、容器３２０内でチューブ８０が撓んだ状態や巻回された状態で挿入されることがある。また、容器３２０が可撓性を備える材質で構成されているような場合、容器３２０の外形形状は希釈液ｄの残量の減少等に伴って比較的容易に変形してしまうことがある。このようなチューブ８０や容器３２０の製品仕様の影響により、フィルタ組立体１００を使用する際に、フィルタ組立体１００の先端面２１の向きを常に一定方向に維持しておくことが難しくなることがあり、例えば、図１０（Ｃ）に示すように、フィルタ組立体１００の先端面２１が容器３２０の内壁（側壁や底壁）３２５等に向かい合った状態で配置されてしまうことがある。このように配置された状態で吸引を実施すると、フィルタ組立体１００の先端開口部２１ａが内壁３２５により塞がれてしまい、希釈液ｄの吸引が阻害される虞がある。
【００７３】
しかしながら、フィルタ組立体１００においては、先端面２１から突出した各突出部２５ａ、２５ｂにより、フィルタ組立体１００と容器３２０の内壁３２５との間に隙間ｇを区画することができる。そして、この隙間ｇを介して希釈液ｄをフィルタ組立体１００内へ流入させることができる。したがって、フィルタ組立体１００の使用に際して、内壁３２５等の影響による吸引量の低下が発生するのを防止することができるため、希釈液ｄを容器３２０内に残留させることなく、ほぼ使い切ることができる。
【００７４】
以上説明したように、本実施形態に係るフィルタ組立体１００によれば、容器３２０内に収容された希釈液中に異物が混入している場合においても、本体部１０に保持されたフィルタ６２により異物を捕捉することができるため、異物がチューブ８０を介して検体分析装置３１０へ送り込まれるのを好適に防止することができる。したがって、検体分析装置３１０内に異物が滞留して異物の詰まりが生じるのを防止でき、異物の詰まりに起因する誤計測や検体分析装置３１０の故障といった問題が発生するのを未然に防止することができる。
【００７５】
また、フィルタ組立体１００にはフィルタ６２が固定されたフィルタ支持部材６０が備えられており、本体部１０には相互に連結分離可能に構成されたフィルタホルダ２０およびフィルタジョイント４０が備えられている。そして、フィルタホルダ２０とフィルタジョイント４０とによりフィルタ支持部材６０を挟み込んだ状態でフィルタホルダ２０とフィルタジョイント４０とを連結することにより、フィルタ６２が本体部１０に対して位置固定的に保持されるようにフィルタ組立体１００を構成している。このため、フィルタホルダ２０、フィルタジョイント４０、およびフィルタ支持部材６０の組み付けおよび分解を手作業で容易に行うことが可能なメンテナンス性に優れたフィルタ組立体１００を提供することができる。
【００７６】
また、フィルタホルダ２０およびフィルタジョイント４０は、フィルタ支持部材６０を挟み込んだ際にフィルタ支持部材６０に圧接してフィルタ６２の周囲にシール部１１５を形成するシール形成部１１３を有するため、フィルタ６２の周囲から希釈液が漏洩するのを好適に防止することができる。シール部材を別途設ける必要がないため、フィルタ組立体１００の部品点数を削減することができ、製造コストの削減および製造作業の簡易化を図ることができる。
【００７７】
また、フィルタ組立体１００の本体部１０の先端面２１には、先端開口部２１ａよりも先端側へ向けて突出した突出部２５ａ、２５ｂが形成されているため、フィルタ組立体１００が容器３２０の内壁３２５に向い合わせて配置されるような場合においても、内壁３２５との間に隙間ｇを区画することができ、この隙間ｇを介して希釈液をフィルタ組立体１００内へ流入させることができる。したがって、フィルタ組立体１００の使用に際して、希釈液を容器３２０内に残留させることなく、ほぼ使い切ることが可能になる。
【００７８】
また、フィルタ組立体１００の本体部１０においてフィルタ６２が配置された部分の周辺部分は、本体部１０の内部が外部から視認可能となるように透明に形成されているため、フィルタ６２に異物が捕捉されているか否かを目視により簡単に確認することができるため、使用している最中に異物の捕捉状況を容易に把握することが可能になる。
【００７９】
また、フィルタ組立体１００と、チューブ８０と、チューブ８０において本体部１０に連結される一端側と反対側に位置する他端側に連結されており、容器３２０に取り付けられた蓋部３２３に係止可能な係止部材９０と、を有するチューブ組立体２００を構成することにより、検体分析装置３１０へ希釈液を送液する際に異物が送り込まれることを好適に防止することが可能な送液用の簡便な器具を提供することが可能になる。
【００８０】
なお、本実施形態では、フィルタホルダ２０およびフィルタジョイント４０は、ネジ込みにより相互に連結される形態を示したが、フィルタホルダ２０およびフィルタジョイント４０を連結するための機構はネジ込みのみに限定されるものではない。例えば、フィルタホルダ２０およびフィルタジョイント４０の一方に形成した穴や凹部に対して、フィルタホルダ２０およびフィルタジョイント４０の他方に形成した突起等を嵌め込むことにより機械的な連結を行う機構や、フィルタホルダ２０およびフィルタジョイント４０とは別部材で構成されるネジ等の連結部材を使用して連結を行う機構を採用することも可能である。
【００８１】
（第２実施形態）
次に、図１１〜図１３を参照して、本発明の第２実施形態に係るフィルタ組立体４００を説明する。なお、上述したフィルタ組立体１００の説明において既に説明した部材と同様に構成し得る部材や同様の機能を有する部材等については、その説明を省略する。
【００８２】
前述した第１実施形態に係るフィルタ組立体１００は、当該フィルタ組立体１００の本体部１０を構成するフィルタホルダ２０およびフィルタジョイント４０と、フィルタ６２が固定されたフィルタ支持部材６０との組み付けおよび分解が自由に行い得るように各部を構成していた。一方、図１１に示すように、第２実施形態に係るフィルタ組立体４００は、本体部４１０が連結分離可能な構成を有しておらず、かつ、フィルタ６２が本体部４１０に予め一体的に固定されている。このような点において本実施形態に係るフィルタ組立体４００は、前述したフィルタ組立体１００と相違する。
【００８３】
図１２（Ａ）、図１３（Ｂ）に示すように、フィルタ組立体４００の本体部４１０は、先端側に位置する先端部４２０と、先端部４２０よりも基端側に位置する中間部４３０と、中間部４３０よりも基端側に位置する基端部４４０とにより構成している。先端部４２０、中間部４３０、基端部４４０のそれぞれは、略円形の外形形状を有しており、各部の内径および外径は、先端部４２０、中間部４３０、基端部４４０の順に段階的に小さくなるように形成している。
【００８４】
図１３（Ａ）、（Ｂ）に示すように、本体部４１０の内部には、本体部４１０の先端側（一端側）から基端側（他端側）へ連通する流路４５０が形成されている。流路４５０は、先端部４２０の内壁により区画された空間からなる第１流路形成部４５１と、中間部４３０の内壁により区画された空間からなる第２流路形成部４５２と、基端部４４０の内壁により区画された空間からなる第３流路形成部４５３とにより構成している。
【００８５】
図１３（Ａ）、（Ｂ）に示すように、先端部４２０の先端面４２１には、第１流路形成部４５１に連通する先端開口部４２１ａを形成している。また、図１２（Ｂ）、図１３（Ｂ）に示すように、基端部４４０の基端面４４２には、第３流路形成部４５３に連通する基端開口部４４２ａを形成している。
【００８６】
図１１に示すように、基端部４４０は、チューブ８０と連結可能なチューブ連結部としての機能を有している。図１３（Ａ）に示すように、基端部４４０には、チューブ８０内への挿入性を向上させるためのテーパー部４４３を形成している。
【００８７】
図１２（Ｂ）、図１３（Ｂ）に示すように、フィルタ６２は、先端部４２０の一部の内壁を内側へ突出して形成したフィルタ固定部４２６に固定している。本実施形態においては、フィルタ６２および本体部４１０は、ポリプロピレンにより構成している。フィルタ６２は、当該フィルタ６２の外周縁部の６か所を本体部４１０のフィルタ固定部４２６に対して固定している。固定方法は、熱溶着により行っている。
【００８８】
本体部４１０においてフィルタ６２が配置された部分の周辺部分は、本体部４１０の内部が外部から目視により視認可能となるように、透明に形成している。
【００８９】
図１２（Ａ）に示すように、本体部４１０の先端面４２１には、先端開口部４２１ａよりも先端側に突出した複数の突出部４２５ａ、４２５ｂ、４３５ｃ、４３５ｄを形成している。
【００９０】
各突出部４２５ａ、４２５ｂ、４３５ｃ、４３５ｄの端面は、平坦状に形成している。また、各突出部４２５ａ、４２５ｂ、４３５ｃ、４３５ｄは、先端面４２１の周方向に互いに均等な間隔を空けて配置している。各突出部４２５ａ、４２５ｂ、４３５ｃ、４３５ｄは、前述した突出部２５ａ、２５ｂと同様に、本体部４１０の先端面４２１が容器３２０の内壁３２５に向かい合った状態で配置されてしまうような場合に、内壁３２５との間に隙間ｇを区画することにより先端開口部４２１ａを介した希釈液の吸い込みを可能にする機能を有している（図１０（Ｃ）を参照）。突出部の設置数や形状等は、図示例に限定されることなく適宜変更することが可能である。
【００９１】
図１１に示すように、係止部材９０が取り付けられたチューブ８０をフィルタ組立体４００の基端部４４０に連結することにより、チューブ組立体５００を構成することができる。
【００９２】
検体分析装置３１０の使用に際してフィルタ組立体４００を使用すると、容器３２０内に収容した希釈液は、先端開口部４２１ａおよび本体部４１０内に形成した流路４５０を通過して、チューブ８０へ送液される。なお、本体部４１０内に形成した流路４５０の断面積が先端側から基端側へ向けて徐々に漸減するように構成されているため（図１３（Ｂ）を参照）、先端開口部４２１ａの開口面積とチューブ８０の流路断面積との間に比較的大きな差がある場合においても、本体部４１０の先端側から基端側へ希釈液を円滑に流通させることができる。
【００９３】
本体部４１０に固定されたフィルタ６２は、希釈液内に毛等の異物が含まれている場合、その異物を捕捉して、異物がチューブ８０を介して検体分析装置３１０へ送り込まれるのを防止する。したがって、前述した第１実施形態に係るフィルタ組立体１００と同様に、本実施形態に係るフィルタ組立体４００は、検体分析装置３１０内に異物が滞留して異物の詰まりが生じるのを防止でき、異物の詰まりに起因する誤計測や検体分析装置３１０の故障といった問題が発生するのを未然に防止することができる。
【００９４】
また、フィルタ組立体４００にフィルタ６２を一体的に固定した構造を採用しているため、前述した第１実施形態に係るフィルタ組立体１００よりも簡略化した構造とすることができ、併せて部品点数を削減することもできるため、製造コストの削減を図ることができる。
【００９５】
以上、複数の実施形態を通じて本発明に係るフィルタ組立体およびチューブ組立体を
を説明したが、本発明は、実施形態において説明した構成のみに限定されることはなく、特許請求の範囲の記載に基づいて適宜変更することが可能である。
【００９６】
例えば、一つのフィルタ組立体に備えさせるフィルタの個数は一つに限定されず、一つのフィルタ組立体に複数のフィルタを備えさせることも可能である。また、複数のフィルタを備えさせる場合、種類や構造の異なるフィルタを併用することも可能である。また、フィルタ組立体にフィルタを保持させる位置は、製造上の観点よりフィルタ組立体の先端開口部に面するように配置することが好ましいが、このような位置に限定されることはなく、フィルタ組立体により異物を捕捉して検体分析装置へ異物が送り込まれるのを防止し得る限りにおいて変更することが可能である。
【００９７】
また、本体部に形成される流路は、一端側から他端側へ直線状に伸びた形状のみに限定されることはない。流路は、本体部内を液体が流通し得る形状に形成されていればよく、例えば、長手方向の断面形状がＬ型や波状等に形成することも可能である。同様に、本体部の外形形状は、長手方向における外観視が直線形状のみに限定されることはなく、製品仕様等に応じて任意に変更することが可能である。
【００９８】
また、実施形態の説明においては、検体分析装置として被験動物から採取した血液の成分を分析する装置を例に挙げたが、本発明に係るフィルタ組立体の適用対象となる検体分析装置はこのような装置に限定されず、被験動物から採取した種々の検体の分析に使用される装置に広く適用することができ、例えば、尿等や各種の体液等の分析に使用される装置に適用することが可能である。また、フィルタ組立体により異物を捕捉する対象となる液体は希釈液に限定されることなく、検体分析装置の使用に際して用いられる各種の液体に広く適用することができ、例えば、装置内部の洗浄に使用される洗浄液中に含まれる異物の捕捉に適用することが可能である。
【符号の説明】
【００９９】
１０  本体部、
２０  フィルタホルダ（第１保持部材）、
２１  先端面（一端側の端面）、
２１ａ  先端開口部（開口部）、
２５ａ、２５ｂ  突出部、
２８  内壁部分、
４０  フィルタジョイント（第２保持部材）、
４４ａ  底部、
４７  チューブ連結部、
６０  フィルタ支持部材、
６２  フィルタ、
６３  フィルタ固定部、
８０、１３０  チューブ、
９０  係止部材、
１００  フィルタ組立体、
１１０  流路、
１１３  シール部、
１１５  シール形成部、
２００  チューブ組立体、
３１０  検体分析装置、
３２０  希釈液を収容した容器（容器）、
３２１  開口部、
３２３  蓋部、
３２５  容器の内壁、
３７０  キャップ、
４００  フィルタ組立体、
４１０  本体部、
４２１ａ  先端開口部（開口部）、
４２５ａ、４２５ｂ、４２５ｃ、４２５ｄ  突出部、
４３６  フィルタ固定部、
４４０  基端部（チューブ連結部）、
４５０  流路、
５００  チューブ組立体、
ｄ  希釈液、
ｍ  異物。
【図１】
0006334371.tif 000002
【図２】
0006334371.tif 000003
【図３】
0006334371.tif 000004
【図４】
0006334371.tif 000005
【図５】
0006334371.tif 000006
【図６】
0006334371.tif 000007
【図７】
0006334371.tif 000008
【図８】
0006334371.tif 000009
【図９】
0006334371.tif 000010
【図１０】
0006334371.tif 000011
【図１１】
0006334371.tif 000012
【図１２】
0006334371.tif 000013
【図１３】
0006334371.tif 000014